(57)【要約】【課題】斜めエッジを有する映像信号でも、斜め和と上下間和とがばたばたと切り替わらないようにし、映像の品位が低下しないようにする。【解決手段】映像信号斜め補間装置１００は、高相関斜め方向の補間位置に配置される補間画素について、その上側に位置する上側画素の高相関斜め方向に沿った上側斜め相関と、補間画素の下側に位置する下側画素の下側斜め相関とをそれぞれ検出する上下斜め相関検出手段を有する。また、映像信号斜め補間装置１００は、映像信号と遅延信号とにおける高相関斜め方向の斜め和および上下間和を、上下斜め相関検出手段の検出結果に応じて混合した補間信号を出力する。【選択図】図１
2008011390.tif 000002
【特許請求の範囲】
【請求項１】
映像信号と、該映像信号を遅延させた遅延信号とにおける最も相関の高い高相関斜め方向への斜め補間を行う映像信号斜め補間装置であって、
前記高相関斜め方向の補間位置に配置される補間画素について、該補間画素の上側に位置する上側画素の前記高相関斜め方向に沿った上側斜め相関と、前記補間画素の下側に位置する下側画素の前記高相関斜め方向に沿った下側斜め相関とをそれぞれ検出する上下斜め相関検出手段と、
前記映像信号と前記遅延信号とにおける前記高相関斜め方向の斜め和および上下間和を、前記上下斜め相関検出手段の検出結果に応じて混合した補間信号を出力する補間信号出力手段とを有することを特徴とする映像信号斜め補間装置。
【請求項２】
前記映像信号と前記遅延信号との上下相関を検出する上下相関検出手段を更に有し、
前記補間信号出力手段は、前記上下斜め相関検出手段により検出された前記上側斜め相関および前記下側斜め相関と、前記上下相関検出手段により検出された前記上下相関との比較結果に応じて、前記斜め和と前記上下間和との混合比率を変更することを特徴とする請求項１記載の映像信号斜め補間装置。
【請求項３】
前記補間信号出力手段は、前記上側斜め相関および前記下側斜め相関が前記上下相関よりも高くなるにしたがい、前記斜め和が前記上下間和よりも優先されるようにして、前記補間信号を出力することを特徴とする請求項１または２記載の映像信号斜め補間装置。
【請求項４】
前記高相関斜め方向を検出する斜め方向検出手段を更に有し、
前記上下斜め相関検出手段は、前記斜め方向検出手段の検出結果に基づいて、前記上側斜め相関と前記下側斜め相関とをそれぞれ検出することを特徴とする請求項１〜３のいずれか一項記載の映像信号斜め補間装置。
【請求項５】
前記映像信号および遅延信号に基づいて遅延信号列を生成する遅延信号列生成手段を更に有し、
前記上下斜め相関検出手段は、前記遅延信号列生成手段により生成された前記遅延信号列に基づいて、前記上側斜め相関と、前記下側斜め相関とをそれぞれ検出することを特徴とする請求項１〜４のいずれか一項記載の映像信号斜め補間装置。
【発明の詳細な説明】
【技術分野】
【０００１】
本発明は、映像信号に対して水平または垂直方向に画素数の圧縮または伸張処理を行う映像信号スケーリング装置に適用される映像信号斜め補間装置に関する。
【背景技術】
【０００２】
現在実用化されている映像信号には、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ  ｃｏｌｏｒ  ｔｅｌｅｖｉｓｉｏｎ）、ハイビジョン及びパーソナルコンピュータ用等、多種多様なフォーマットが存在している。
【０００３】
このような多種多様なフォーマットの映像信号を用いて、液晶ディスプレイやプラズマディスプレイといった表示装置に映像を表示させるときは、表示装置の表示画素数に合わせるようにして、映像信号の水平または垂直方向の画素数を圧縮または伸張する必要があった。
【０００４】
このような映像信号に対する圧縮または伸張処理を施す装置は、映像信号スケーリング装置とよばれている。
【０００５】
また、映像信号スケーリング装置により、映像信号に対して伸張処理を施す場合、水平または垂直方向の差分をみて画素を増やすだけでは、斜め方向の端部（斜めエッジともいう）を有する映像信号を表示したときに、斜めエッジに段差があるようなぎざぎざの表示がされてしまう。
【０００６】
そのため、映像信号スケーリング装置では、このような斜めエッジにおけるぎざぎざの表示を解消するため、斜め方向の画素の相関をみた上で適切な画素を補間する斜め補間装置が設けられていた。
【０００７】
そして、斜め補間を行う装置に関して、従来例えば、特許文献１に開示されている走査線補間装置があった。この走査線補間装置では、次のようにして斜め補間が行なわれている。すなわち、この走査線補間装置では、映像信号およびその映像信号を１水平期間遅延させた遅延信号を入力して、上下方向に配置される画素間の差分絶対値と、斜め方向に配置される画素間の絶対差分値とが算出され、各絶対値から、斜め方向判定回路によって相関の最も強い画素が判定される。そして、判定された画素を用いて斜め和回路によって補間画素が生成され、その生成された補間画素によって、斜め補間が行なわれていた。なお、この特許文献１のほかにも、特許文献２、特許文献３、特許文献４などにも斜め補間について開示されていた。
【特許文献１】特開平４−３６４６８５公報
【特許文献２】ＷＯ２００４−１７６３４公報
【特許文献３】特開２００２−１８５９３４６公報
【特許文献４】特開２００１−９４９５１公報
【発明の開示】
【発明が解決しようとする課題】
【０００８】
上記した特許文献１に開示されている走査線補間装置では、斜め方向判定回路と斜め和回路との間に強制上下間和回路を設け、斜め補間を行なう両方のラインの画素にエッジが検出されないときは、斜め方向判定信号を強制的に上下間和に切り替えて補間画素が生成されている。
【０００９】
しかし、特許文献１に開示されている走査線補間装置では、斜めエッジを有する映像信号についての斜めエッジの有無が二値的に判定され、その判定結果に基づいて、斜め和が強制的に上下間和に切り替えられるようになっている。そのため、この走査線補間装置では、映像信号が判定の閾値ぎりぎりであるときに、斜め和と上下間和とが続けざまにばたばたと切り替わってしまい、表示される映像の品位が落ちてしまうことがあった。
【００１０】
そこで、本発明は上記課題を解決するためになされたもので、映像信号スケーリング装置に適用される映像信号斜め補間装置において、斜めエッジを有する映像信号でも、斜め和と上下間和とがばたばたと切り替わらないようにし、映像の品位が低下しないようにすることを目的とする。
【課題を解決するための手段】
【００１１】
上記課題を解決するため、本発明は、映像信号と、その映像信号を遅延させた遅延信号とにおける最も相関の高い高相関斜め方向への斜め補間を行う映像信号斜め補間装置であって、高相関斜め方向の補間位置に配置される補間画素について、その補間画素の上側に位置する上側画素の高相関斜め方向に沿った上側斜め相関と、補間画素の下側に位置する下側画素の高相関斜め方向に沿った下側斜め相関とをそれぞれ検出する上下斜め相関検出手段と、映像信号と遅延信号とにおける高相関斜め方向の斜め和および上下間和を、上下斜め相関検出手段の検出結果に応じて混合した補間信号を出力する補間信号出力手段とを有する映像信号斜め補間装置を特徴とする。
【００１２】
この映像信号斜め補間装置は、映像信号と前記遅延信号との上下相関を検出する上下相関検出手段を更に有し、補間信号出力手段は、上下斜め相関検出手段により検出された上側斜め相関および下側斜め相関と、上下相関検出手段により検出された上下相関との比較結果に応じて、斜め和と上下間和との混合比率を変更するようにすることができる。
【００１３】
また、補間信号出力手段は、上側斜め相関および下側斜め相関が上下相関よりも高くなるにしたがい、斜め和が上下間和よりも優先されるようにして、補間信号を出力するようにすることもできる。
【発明の効果】
【００１４】
以上詳述したように、本発明によれば、映像信号スケーリング装置に適用される映像信号斜め補間装置において、斜めエッジを有する映像信号でも、斜め和と上下間和とがばたばたと切り替わらないようにし、映像の品位が低下しないようにすることができる。
【発明を実施するための最良の形態】
【００１５】
以下、本発明の実施の形態について説明する。なお、同一要素には同一符号を用い、重複する説明は省略する。
【００１６】
（映像信号斜め補間装置の構成）
図１は、本発明の実施の形態に係る映像信号斜め補間装置１００の構成を示すブロック図である。映像信号斜め補間装置１００は図示しない映像信号スケーリング装置に組み込まれていて、その映像信号スケーリング装置に入力される映像信号Ｓ１０１と、映像信号Ｓ１０１を１Ｈ遅延させた１Ｈ遅延信号Ｓ１０３とが入力される。また映像信号斜め補間装置１００は映像信号Ｓ１０１と１Ｈ遅延信号Ｓ１０３とを用いて補間信号Ｓ１２１を生成して出力するようになっている。
【００１７】
そして、映像信号斜め補間装置１００は、第１の遅延信号列生成回路１０２と、第２の遅延信号列生成回路１０４と、斜め差分回路１０６と、斜め方向判定回路１０８とを有している。また、映像信号斜め補間装置１００は、斜め和回路１１０と、上下間和回路１１２と、上下画素斜め相関検出回路１１４と、上下相関検出回路１１６および混合回路１１８とを有している。
【００１８】
第１、第２の遅延信号列生成回路１０２，１０４は、それぞれ映像信号Ｓ１０１、１Ｈ遅延信号Ｓ１０３が入力される。また、第１、第２の遅延信号列生成回路１０２，１０４は、それぞれ複数の遅延タップを有し、その各遅延タップを用いて、それぞれ第１の遅延信号列Ｓ１０５、第２の遅延信号列Ｓ１０７を出力する。第１の遅延信号列Ｓ１０５、第２の遅延信号列Ｓ１０７は、双方ともに斜め差分回路１０６、斜め和回路１１０、上下間和回路１１２、上下画素斜め相関検出回路１１４および上下相関検出回路１１６に入力される。
【００１９】
斜め差分回路１０６は第１の遅延信号列Ｓ１０５と、第２の遅延信号列Ｓ１０７とを入力して、その双方についての斜め方向の相関（斜め相関）を検出するため、複数の斜め方向の差分絶対値を算出する。そして、斜め差分回路１０６はその算出した差分絶対値を示すデータを斜め差分絶対値データＳ１０９として、斜め方向判定回路１０８に出力する。
【００２０】
斜め方向判定回路１０８は、斜め差分絶対値データＳ１０９を入力し、その斜め差分絶対値データＳ１０９に基づき、第１の遅延信号列Ｓ１０５と、第２の遅延信号列Ｓ１０７との斜め相関を求める。また、斜め方向判定回路１０８は、求めた斜め相関に基づいて、最も相関の高い方向を高相関斜め方向として検出する斜め方向検出手段としての機能を有し、その検出結果を示す斜め方向判定信号Ｓ１１１を出力する。この斜め方向判定信号Ｓ１１１は、斜め和回路１１０と、上下画素斜め相関検出回路１１４とに入力される。
【００２１】
斜め和回路１１０は、第１の遅延信号列Ｓ１０５と第２の遅延信号列Ｓ１０７とから、斜め方向判定信号Ｓ１１１に従い、最も相関が高いと判定された高相関斜め方向に沿った各画素の斜め和を算出し、その算出した斜め和を斜め和信号Ｓ１１３として出力する。
【００２２】
上下間和回路１１２は、第１の遅延信号列Ｓ１０５と、第２の遅延信号列Ｓ１０７とを用いて、各画素の上下間和を算出し、その算出した上下間和を上下間和信号Ｓ１１５として出力する。
【００２３】
上下画素斜め相関検出回路１１４は、本発明における上下斜め相関検出手段であって、斜め方向判定回路１０８の検出結果（すなわち、斜め方向判定信号Ｓ１１１）に基づき、高相関斜め方向に沿った後述する上側斜め相関および下側斜め相関を検出して、その検出結果に応じた上下画素斜め相関信号Ｓ１１７を出力する。なお、上下画素斜め相関検出回路１１４によって行なわれる上側斜め相関と下側斜め相関の検出を「上下斜め相関検出」といい、詳しくは後述する。
【００２４】
上下相関検出回路１１６は、第１の遅延信号列Ｓ１０５と、第２の遅延信号列Ｓ１０７とを用いて、各画素の上下方向の差分を算出する一方、算出した差分から上下相関を検出し、その検出した上下相関を示す上下相関検出信号Ｓ１１９を出力する。
【００２５】
混合回路１１８は、本発明における補間信号出力手段であって、斜め和信号Ｓ１１３、上下間和信号Ｓ１１５、上下画素斜め相関信号Ｓ１１７および上下相関検出信号Ｓ１１９を入力して補間信号Ｓ１２１を出力する。この補間信号Ｓ１２１は、斜め和信号Ｓ１１３と上下間和信号Ｓ１１５とが、上下画素斜め相関信号Ｓ１１７および上下相関検出信号Ｓ１１９に応じて混合されたものである。
【００２６】
（映像信号斜め補間装置の動作内容）
次に、映像信号斜め補間装置１００の動作内容について説明する。ここでは、斜めエッジを有する図３に示すような映像信号Ｓ１０１と、１Ｈ遅延信号Ｓ１０３とが映像信号斜め補間装置１００に入力された場合を例にとって説明する。このとき、映像信号斜め補間装置１００は次のように作動することによって、補間信号Ｓ１２１を生成する。
【００２７】
ここで、映像信号Ｓ１０１と１Ｈ遅延信号Ｓ１０３とは図３に示すような画素で構成されている。映像信号Ｓ１０１は、Ｓ１１ａからＳ１１ｋまでの間で１１個の画素を有している。これらのうち、Ｓ１１ａ，Ｓ１１ｂ，Ｓ１１ｃ，Ｓ１１ｄ，Ｓ１１ｅの５つの画素は同じ明るさの例えば白色、Ｓ１１ｆは薄い灰色、Ｓ１１ｇは灰色、Ｓ１１ｈは濃い灰色、Ｓ１１ｉ，Ｓ１１ｊ，Ｓ１１ｋの３つは同じ明るさの黒色となっている。
【００２８】
また、１Ｈ遅延信号Ｓ１０３は、Ｓ１３ａからＳ１３ｋまでの間で画素の明るさが変化し、Ｓ１３ａは白色、Ｓ１３ｂは薄い灰色、Ｓ１３ｃは灰色、Ｓ１３ｄは濃い灰色、Ｓ１３ｅ，Ｓ１３ｆ，Ｓ１３ｇ，Ｓ１３ｈ，Ｓ１３ｉ，Ｓ１３ｊ，Ｓ１３ｋの７つは同じ明るさの黒色となっている。このような映像信号Ｓ１０１と１Ｈ遅延信号Ｓ１０３とを用いて映像が表示されると、画素Ｓ１１ｆと画素Ｓ１３ｂとが境目になった斜めエッジを有する映像が表示される。
【００２９】
そして、映像信号Ｓ１０１と、１Ｈ遅延信号Ｓ１０３とがそれぞれ第１、第２の遅延信号列生成回路１０２，１０４に入力されると、第１の遅延信号列Ｓ１０５と、第２の遅延信号列Ｓ１０７が生成されて斜め差分回路１０６に入力される。
【００３０】
斜め差分回路１０６は、入力される第１の遅延信号列Ｓ１０５と、第２の遅延信号列Ｓ１０７から複数の斜め方向に配置される画素についての差分絶対値を算出して斜め差分絶対値データＳ１０９を出力する。
【００３１】
ここで、斜め差分回路１０６は、図２に示すように、映像信号Ｓ１０１を構成する複数の画素Ｓ１１ａ〜Ｓ１１ｋと、１Ｈ遅延信号Ｓ１０３を構成する複数の画素Ｓ１３ａ〜Ｓ１３ｋとについて、Ｓ１１ａとＳ１３ｋ、Ｓ１１ｂとＳ１３ｊ、Ｓ１１ｃとＳ１３ｉ・・・のように位置関係が互いに斜め方向（または上下方向）となるように配置される画素同士の差分絶対値を算出する。
【００３２】
したがって、斜め差分回路１０６は、図２に示すように、“−５”から“＋５”までの１１通りの方向に配置される画素同士の差分絶対値を算出している。
【００３３】
斜め方向判定回路１０８は、斜め差分絶対値データＳ１０９を入力して、斜め差分回路１０６が算出した差分絶対値に基づき、図２に示した１１通りの斜め方向から最も相関の高い方向を高相関斜め方向として検出して、斜め方向判定信号Ｓ１１１を出力する。
【００３４】
ここでは、映像信号Ｓ１０１と１Ｈ遅延信号Ｓ１０３とが図３に示すような画素で構成されているので、画素Ｓ１１ｈと画素Ｓ１３ｄとの相関が高い。そのため、斜め方向判定回路１０８は、斜め方向ｄ２を高相関斜め方向と判定して斜め方向判定信号Ｓ１１１を出力する。
【００３５】
斜め和回路１１０は、斜め方向判定信号Ｓ１１１にしたがい斜め和を算出するから、斜め方向ｄ２の各画素、すなわち、画素Ｓ１１ｈと画素Ｓ１３ｄの斜め和を含む各画素の斜め方向ｄ２に沿った斜め和を算出して斜め和信号Ｓ１１３を出力する。
【００３６】
また、上下間和回路１１２は、第１の遅延信号列Ｓ１０５と、第２の遅延信号列Ｓ１０７を用いて、各画素の上下間和を算出するから、画素Ｓ１１ａとＳ１３ａ，Ｓ１１ｂとＳ１３ｂ、Ｓ１１ｃとＳ１３ｃ・・・といったように、映像信号Ｓ１０１と１Ｈ遅延信号Ｓ１０３との上下間和を算出して上下間和信号Ｓ１１５を出力する。
【００３７】
上下画素斜め相関検出回路１１４は、次のようにして上下斜め相関検出を行なう。この場合、斜め方向判定回路１０８で高相関斜め方向と判定された方向は斜め方向ｄ２なので、画素Ｓ１１ｈとＳ１３ｄとの補間位置に配置される画素を補間画素とすると、画素Ｓ１９ｆが補間画素となる。
【００３８】
そして、上下画素斜め相関検出回路１１４は、補間画素Ｓ１９ｆの上側に位置する画素Ｓ１１ｆと、下側に位置する画素Ｓ１３ｆのそれぞれからみた斜め方向ｄ２と同じ斜め方向の相関を検出する（補間画素の上側に位置する画素を「上側画素」、下側に位置する画素を「下側画素」という）。
【００３９】
この場合、斜め方向ｄ２の補間画素は画素Ｓ１９ｆなので、上側画素はＳ１１ｆ、下側画素はＳ１３ｆである。したがって、上側画素Ｓ１１ｆからみた斜め方向ｄ２と同じ斜め方向は斜め方向ｄ３、下側画素Ｓ１３ｆからみた斜め方向ｄ２と同じ斜め方向は斜め方向ｄ４となる。なお、以下の説明では、上側画素からみた高相関斜め方向（以上の説明では斜め方向ｄ２）と同じ斜め方向を上側斜め方向、下側画素からみた斜め方向ｄ２と同じ斜め方向を下側斜め方向とする。また、上側斜め方向の相関を上側斜め相関、下側斜め方向の相関を下側斜め相関という。
【００４０】
すると、図３から、上側斜め相関は斜め方向ｄ３に配置される上側画素Ｓ１１ｆと下側画素Ｓ１３ｂの相関となり、下側斜め相関は斜め方向ｄ４に配置される上側画素Ｓ１１ｊと下側画素Ｓ１３ｆの相関となるが、いずれの相関も高いと判定される。
【００４１】
上下画素斜め相関検出回路１１４は、このような斜め方向ｄ３、ｄ４についての上側斜め相関および下側斜め相関を検出して、その検出結果に応じた上下画素斜め相関信号Ｓ１１７を出力する。ただし、映像信号Ｓ１０１の画素と１Ｈ遅延信号Ｓ１０３の画素とによって、上側斜め相関および下側斜め相関が変動するため、上下画素斜め相関信号Ｓ１１７は、上側斜め相関および下側斜め相関（双方をまとめて、以下「上下斜め相関」という）を示すデータとなっている。
【００４２】
そして、混合回路１１８は、上下画素斜め相関信号Ｓ１１７と上下相関検出信号Ｓ１１９とに応じ、斜め和信号Ｓ１１３と上下間和信号Ｓ１１５との混合する割合を変更して補間信号Ｓ１２１を生成する。この場合、混合回路１１８は、上下画素斜め相関信号Ｓ１１７が示す上下斜め相関と、上下相関検出信号Ｓ１１９が示す上下相関とを比較する比較手段としての動作を行い、その比較結果に応じて、斜め和信号Ｓ１１３と上下間和信号Ｓ１１５とが混合される割合を変更している。
【００４３】
すなわち、混合回路１１８は、上下斜め相関が上下相関よりも高くなるにしたがい、斜め和が出力されやすくなるようにしている。具体的には、混合回路１１８は、上下斜め相関が上下相関よりも高いときは斜め和信号Ｓ１１３が上下間和信号Ｓ１１５よりも優先して出力されるようにしている。また、混合回路１１８は、上下斜め相関が低くなるにしたがい斜め和信号Ｓ１１３のほかに徐々に上下間和信号Ｓ１１５が出力されるようにし、上下斜め相関が上下相関以下になると、上下間和信号Ｓ１１５が斜め和信号Ｓ１１３よりも優先して出力されるようにしている。
【００４４】
上記実施の形態では、上下斜め相関と上下相関とを比較すると、斜め方向ｄ２のほか、斜め方向ｄ３、ｄ４についても相関が高い。これに対し、上側画素Ｓ１１ｆと下側画素Ｓ１３ｆとの相関は無いから、上下相関は低い。したがって、斜め和信号Ｓ１１３が上下間和信号Ｓ１１５よりも優先され、斜め和信号Ｓ１１３が補間信号Ｓ１２１として出力されることになる（画素Ｓ１９ｆは、画素Ｓ１１ｈと画素Ｓ１３ｄの斜め和から生成されている）。
【００４５】
図４は、四角い物体の角などの切れ目にラインの境目が来た場合を想定した映像信号Ｓ１０１と１Ｈ遅延信号Ｓ１０３とを示す図である。この場合、斜め方向判定回路１０８によって判定される高相関斜め方向は斜め方向ｄ１２を示している。
【００４６】
しかし、図４に示すように、１Ｈ遅延信号Ｓ１０３は物体が表示されない画素となっているため、映像信号Ｓ１０１と、１Ｈ遅延信号Ｓ１０３とはどの斜め方向にも相関がないはずである。ところが、高相関斜め方向が斜め方向ｄ１２であるからといって、補間信号Ｓ１２１として斜め和を出力してしまうと、切れ目付近に不適切な補間画素が生成されるため、角が欠けてしまったような映像になってしまう。
【００４７】
また、一方、斜めエッジが緩やかな場合は、その斜めエッジが検出されない場合があるが、特許文献１に開示されている従来の走査線補間装置では、エッジが検出されるか否かによって、斜め和と上下間和とが続けざまにばたばた切り替わることがあった。
【００４８】
しかし、本発明における映像信号斜め補間装置１００では、図４に示した映像信号Ｓ１０１と、１Ｈ遅延信号Ｓ１０３についても次のようになる。
【００４９】
図４において、高相関斜め方向が斜め方向ｄ１２であるから、補間画素はＳ１９ｆ、上側画素はＳ１１ｆ、下側画素はＳ１３ｆである。したがって、上側画素Ｓ１１ｆからみた斜め方向ｄ１２と同じ斜め方向は斜め方向ｄ１３、下側画素Ｓ１３ｆからみた斜め方向ｄ１２と同じ斜め方向は斜め方向ｄ１４となる。
【００５０】
また、斜め方向ｄ１４の相関は高く下側斜め相関があるといえるが、斜め方向ｄ１３は相関が低く上側斜め相関があるとはいえない。その一方、上側画素Ｓ１１ｆと下側画素Ｓ１３ｆとについても相関が低いので、この上側画素Ｓ１１ｆと下側画素Ｓ１３ｆとの上下相関は上側斜め相関と同等であり、差がないと考えられる。
【００５１】
つまり、上側斜め相関と上下相関とは、いずれも低く、双方の間に優劣は認められないから、混合回路１１８は、斜め相関はないとして上下間和を優先し、上下間和信号Ｓ１１５を補間信号Ｓ１２１として出力する。
【００５２】
以上のように、映像信号斜め補間装置１００では、混合回路１１８により、斜め和信号Ｓ１１３と上下間和信号Ｓ１１５とが混合された補間信号Ｓ１２１が生成され、その補間信号Ｓ１２１が出力されている。そのため、映像信号斜め補間装置１００では、斜め和信号Ｓ１１３と上下間和信号Ｓ１１５とが続けざまにばたばたと切り替わって出力されるようなことはなく、表示される映像の品位が低下しないようになっている。
【００５３】
また、混合回路１１８では、上下画素斜め相関信号Ｓ１１７と上下相関検出信号Ｓ１１９とに応じ、斜め和信号Ｓ１１３と上下間和信号Ｓ１１５との混合する割合を変更して補間信号Ｓ１２１を生成している。そのため、補間信号Ｓ１２１が斜め相関と上下相関のうちの強い方に即したものとなり、この点でも、映像の品位が高められるようになっている。
【００５４】
さらに、混合回路１１８は、上下斜め相関が上下相関よりも高くなるにしたがい、斜め和が出力されやすくなるようにしているから、斜め相関が高いときは斜め和によって補間画素が生成されるようになっており、この点でも映像の品位が高められるようになっている。
【００５５】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５６】
【図１】本発明の実施の形態に係る映像信号斜め補間装置の構成を示すブロック図である。
【図２】映像信号斜め補間装置による斜め相関の検出方向を示す図である。
【図３】映像信号、１Ｈ遅延信号および補間信号の一例を示す図である。
【図４】映像信号、１Ｈ遅延信号および補間信号の他例を示す図である。
【符号の説明】
【００５７】
１００…映像信号斜め補間装置、１０２…第１の遅延信号生成回路
１０４…第１の遅延信号生成回路、１０６…斜め差分回路
１０８…斜め方向判定回路、１１０…斜め和回路
１１２…上下間和回路、１１４…上下画素斜め相関検出回路
１１６…上下相関検出回路、１１８…混合回路
【図１】
2008011390.tif 000003
【図２】
2008011390.tif 000004
【図３】
2008011390.tif 000005
【図４】
2008011390.tif 000006